【手続補正書】
【提出日】平成16年12月6日(2004.12.6)
【手続補正１】
【補正対象書類名】明細書
【補正対象項目名】発明の名称
【補正方法】変更
【補正の内容】
【発明の名称】検索装置及び制御方法
【手続補正２】
【補正対象書類名】明細書
【補正対象項目名】特許請求の範囲
【補正方法】変更
【補正の内容】
【特許請求の範囲】
【請求項１】
接続したい機器の通信ポートに関する情報に基づいて接続可能な機器を検索する検索手段を有し、
前記検索手段により検索された機器を特定するための情報を表示することを特徴とする検索装置。
【請求項２】
前記検索手段は、他の機器と接続されていない通信ポートを有する機器を検索することを特徴とする請求項１に記載の検索装置。
【請求項３】
前記検索手段は、接続可能な機器の中で所定の条件に適合する通信ポートを有する機器を検索することを特徴とする請求項１又は２に記載の検索装置。
【請求項４】
前記所定の条件とは、接続したい機器の通信ポートの電源供給能力に関するものであることを特徴とする請求項３に記載の検索装置。
【請求項５】
前記検索手段は、接続したい機器の通信ポートの電源供給の有無に適合する機器を検索することを特徴とする請求項４に記載の検索装置。
【請求項６】
前記所定の条件とは、接続したい機器の通信ポートのデータ転送速度に関するものであることを特徴とする請求項３に記載の検索装置。
【請求項７】
前記検索手段は、接続したい機器の通信ポートの最大データ転送速度以上となる機器を検索することを特徴とする請求項６に記載の検索装置。
【請求項８】
前記検索装置は、前記検索手段により検索された機器の機器情報を表示することを特徴とする請求項１から７の何れかに記載の検索装置。
【請求項９】
前記検索装置は、前記検索手段により検索された機器の空きポートの数を表示することを特徴とする請求項１から８の何れかに記載の検索装置。
【請求項１０】
前記検索装置は、前記検索手段により検索された機器の通信ポートのデータ転送速度を表示することを特徴とする請求項１から８の何れかに記載の検索装置。
【請求項１１】
前記検索装置は、前記検索手段により接続可能な機器が検索されなかった場合、前記ネットワークの末端となる機器を特定するための表示を行なうことを特徴とする請求項１から１０の何れかに記載の検索装置。
【請求項１２】
前記通信ポートに関する情報は、通信ポートの接続状態、電源供給能力、データ転送速度に関する情報の少なくとも一つであることを特徴とする請求項１から１１の何れかに記載の検索装置。
【請求項１３】
検索装置の制御方法であって、
接続したい機器の通信ポートに関する情報に基づいて接続可能な機器を検索し、
検索された機器を特定するための情報を表示することを特徴とする制御方法。
【請求項１４】
他の機器と接続されていない通信ポートを有する機器を検索することを特徴とする請求項１３に記載の制御方法。
【請求項１５】
接続可能な機器の中で所定の条件に適合する通信ポートを有する機器を検索することを特徴とする請求項１３又は１４に記載の制御方法。
【請求項１６】
前記所定の条件とは、接続したい機器の通信ポートの電源供給能力に関するものであることを特徴とする請求項１５に記載の制御方法。
【請求項１７】
接続したい機器の通信ポートの電源供給の有無に適合する機器を検索することを特徴とする請求項１６に記載の制御方法。
【請求項１８】
前記所定の条件とは、接続したい機器の通信ポートのデータ転送速度に関するものであることを特徴とする請求項１５に記載の制御方法。
【請求項１９】
接続したい機器の通信ポートの最大データ転送速度以上となる機器を検索することを特徴とする請求項１８に記載の制御方法。
【請求項２０】
前記検索手段により検索された機器の機器情報を表示することを特徴とする請求項１３から１９の何れかに記載の制御方法。
【請求項２１】
前記検索手段により検索された機器の空きポートの数を表示することを特徴とする請求項１３から２０の何れかに記載の制御方法。
【請求項２２】
前記検索手段により検索された機器の通信ポートのデータ転送速度を表示することを特徴とする請求項１３から２０の何れかに記載の制御方法。
【請求項２３】
前記検索手段により接続可能な機器が検索されなかった場合、前記ネットワークの末端となる機器を特定するための表示を行なうことを特徴とする請求項１３から２２の何れかに記載の制御方法。
【請求項２４】
前記通信ポートに関する情報は、通信ポートの接続状態、電源供給能力、データ転送速度に関する情報の少なくとも一つであることを特徴とする請求項１から１１の何れかに記載の制御方法。
【手続補正３】
【補正対象書類名】明細書
【補正対象項目名】０００１
【補正方法】変更
【補正の内容】
【０００１】
【発明の属する技術分野】
本発明は、接続可能な機器を検索する検索装置及びその制御方法に関する。
【手続補正４】
【補正対象書類名】明細書
【補正対象項目名】０００９
【補正方法】変更
【補正の内容】
【０００９】
そこで、本発明は、ネットワークにおける機器の増設を円滑に行えるようにすることを目的とする。
【手続補正５】
【補正対象書類名】明細書
【補正対象項目名】００１０
【補正方法】変更
【補正の内容】
【００１０】
【課題を解決するための手段】
本発明に係る検索装置は、ネットワークに接続可能な検索装置であって、接続したい機器の通信ポートに関する情報を入力する入力手段と、前記入力手段により入力された情報に基づいて接続可能な機器を検索する検索手段とを有し、前記検索手段により検索された機器を特定するための情報を表示することを特徴とする。
【手続補正６】
【補正対象書類名】明細書
【補正対象項目名】００１１
【補正方法】変更
【補正の内容】
【００１１】
また、本発明に係る制御方法は、ネットワークに接続可能な検索装置の制御方法であって、接続したい機器の通信ポートに関する情報に基づいて接続可能な機器を検索し、検索された機器を特定するための情報を表示することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】０２４９
【補正方法】変更
【補正の内容】
【０２４９】
【発明の効果】
本発明によれば、ネットワークにおける機器の増設を円滑に行なうことができる。
【手続補正１７】
【補正対象書類名】明細書
【補正対象項目名】０２５０
【補正方法】削除
【補正の内容】
【手続補正１８】
【補正対象書類名】明細書
【補正対象項目名】０２５１
【補正方法】削除
【補正の内容】
【手続補正１９】
【補正対象書類名】明細書
【補正対象項目名】０２５２
【補正方法】削除
【補正の内容】